(57)【要約】【課題】本発明は、極めて商品価値の高い画期的な流体改質装置を提供することを目的とする。【解決手段】適宜な流体７を通過させる筒体３内に、内部に磁石１が埋設され炭素粉末を適宜なバインダーにより固めて成る炭素体２を配設したものである。【選択図】　　　　図１
2004000858.tif 000002
【特許請求の範囲】
【請求項１】
適宜な流体を通過させる筒体内に、内部に磁石が埋設され炭素粉末を適宜なバインダーにより固めて成る炭素体を配設したことを特徴とする流体改質装置。
【請求項２】
請求項１記載の流体改質装置において、前記筒体の所定位置には該筒体内を通過する流体に所定の効能を付与する効能付与材の供給部が設けられていることを特徴とする流体改質装置。
【請求項３】
請求項１，２いずれか１項に記載の流体改質装置において、前記筒体内に配設される磁石として４０００ガウス程度以上の磁力を発生する磁石を用いたことを特徴とする流体改質装置。
【発明の詳細な説明】
【０００１】
【発明の属する技術分野】
本発明は、水や空気などの流体を改質するための流体改質装置に関するものである。
【０００２】
【従来の技術及び発明が解決しようとする課題】
従来から、例えば土壌を弱アルカリ性（ペーハー７〜７．５）に改質すると植物の生育に必要な微生物が良好に繁殖し、植物の生育が良好となるということは確認されているが、水質による影響、特に植物の生育に良好な水質がどのようなものかについては未だ十分確認されていない。
【０００３】
本発明は、例えば植物の生育に良好な水質を生み出すことのできる非常に実用性に秀れた流体改質装置を提供するものである。
【０００４】
【課題を解決するための手段】
添付図面を参照して本発明の要旨を説明する。
【０００５】
適宜な流体７を通過させる筒体３内に、内部に磁石１が埋設され炭素粉末を適宜なバインダーにより固めて成る炭素体２を配設したことを特徴とする流体改質装置に係るものである。
【０００６】
また、請求項１記載の流体改質装置において、前記筒体３の所定位置には該筒体３内を通過する流体７に所定の効能を付与する効能付与材８の供給部４が設けられていることを特徴とする流体改質装置に係るものである。
【０００７】
また、請求項１，２いずれか１項に記載の流体改質装置において、前記筒体３内に配設される磁石１として４０００ガウス程度以上の磁力を発生する磁石１を用いたことを特徴とする流体改質装置に係るものである。
【０００８】
【発明の作用及び効果】
本発明に係る流体改質装置を、例えば流体７としての水が流れる水路９の取水部１１に配設した場合、水質を活性化する炭素の効果が磁石１の磁力により助長され、非常に効率良く水質を活性化することになり、植物の生育に良好な水を作出することができる。
【０００９】
また、請求項２記載の発明においては、筒体３の所定位置には該筒体３内を通過する流体７に所定の効能を付与する効能付与材８の供給部４が設けられているから、炭素で活性化された流体７に所定の効能を付与する効能付与材８を供給したり（或いは、効能付与材８が供給された流体７を炭素で活性化したり）することができ、ユーザーが望む良質な流体７を簡易且つ確実に得られることになる。
【００１０】
【発明の実施の態様】
図面は本発明の一実施例を図示したものであり、以下に説明する。
【００１１】
本実施例は、例えば図５に図示したように用水路などの水路９から水田１０や畑などに取水するための取水部１１に配設されるものであって、この取水部１１を通過する水７を植物の生育に適した水７に改質し得るように構成したものである。尚、本実施例では、水７を改質するための水改質装置として構成しているが、その他にも、例えば流体７としての空気を改質するための空気改質装置として構成するなど、本実施例の特性を発揮する構成であればその応用範囲は多岐にわたるものである。
【００１２】
具体的には、本実施例は、水７を通過させる筒体３内に、内部に磁石１が埋設され炭素粉末を適宜なバインダーにより固めて成る炭素体２を配設しており、筒体３の所定位置には該筒体３内を通過する水７に所定の効能を付与する効能付与材８の供給部４が設けられている。
【００１３】
筒体３は、適宜な合成樹脂製の部材を筒状に形成したものであり、その周面所定位置にして前後位置には筒孔３ａ内に貫通する筒部５が突出形成されている。
【００１４】
この筒部５は、図２に図示したように排出口６ａを有する容体６を逆さ状態で嵌挿配設し得るように構成されており、この容体６内に効能付与材８としての液肥を詰入して、この排出口６ａから液肥８を筒体３内を通過する水７に供給する効能付与材８の供給部４として構成されている。
【００１５】
尚、本実施例は、水７を改質するための水改質装置として構成され、この水７に効能付与材８としての液肥を付与しているが、これに限られるものではなく、そして更に、例えば流体７としての空気を改質するための空気改質装置として構成した場合、この空気に付与する効能付与材８としては、例えば芳香剤であったり、マイナスイオンを発生するものであったり適宜選択するものである。
【００１６】
また、筒体３の筒孔３ａ内に本出願人が特許第２９０３３００号にて提案する複数の炭素体２が配設されている。
【００１７】
即ち、炭素体２は、純度の高い炭素の粉末を適宜なバインダーにより高圧をかけて固め、例えば直径３ｃｍで高さ２ｃｍ程度の六角柱形状としている。バインダーは土に埋設した際、溶けて磁石が露出しないように非水溶性が良い。
【００１８】
実際使用したバインダーは、例えば日澱化学（株）製のガラクトマンマという豆を主成分とした商品名「キプロガム　Ｈ−１」という天然微生物が生育できるバインダーである。
【００１９】
この炭素体２の中央に４０００ガウス程度の磁力を発する、例えば棒状の磁石柱１を１本埋設する。この磁石柱１は炭素体の中に完全に埋設させた方が良い。例えば上下端面を露出させたりすると、その露出部が使用に伴い錆びたり、また、この露出部に鉄粉が付着して磁力が劣化するからである。
【００２０】
尚、炭素体２の形状としては、直径３ｃｍで高さ２ｃｍ程度の六角柱形状のもので説明したが、形状は六角柱に限らず、用途により四角柱や円柱等適宜設定すればよく、大きさも用途により適宜設定すればよい。ただし、実験の結果、六角柱のものが最も効果的であることが確認された。
【００２１】
この磁石柱１は、例えば、三菱マテリアル（株）製の商品名「ダイヤマックス−ＣＲ」という残留磁束密度（Ｂｒ）が８．９〜１０．０ＫＧ、保磁力（ｂＨｃ）が６．０〜８．０ＫＯｅ、最大エネルギー積（ＢＨ）ｍａｘ．が１９〜２２ＭＧ・Ｏｅ程度の磁気エネルギー、保磁力の大きい磁石柱１である。
【００２２】
尚、実験の結果、磁石柱の磁力は４０００ガウス程度以上であればそれだけ良好な結果が得られることも確認している。４０００ガウス程度以下であると、磁石柱が炭素でつつまれている為、磁力が外部に透過しにくくなり、所期の効果が低下するものと考えられる。
【００２３】
以上の構成からなる本実施例に係る流体改質装置を取水部１１に配設したところ、植物の生育が良好となり、本装置を配設しない場合と比較して植物の生育が良好となることを確認している。
【００２４】
尚、本発明は、本実施例に限られるものではなく、各構成要件の具体的構成は適宜設計し得るものである。
【図面の簡単な説明】
【図１】本実施例を示す斜視図である。
【図２】図１中のＡ−Ａ断面図である。
【図３】図１中のＢ−Ｂ断面図である。
【図４】本実施例に係る要部の斜視図である。
【図５】本実施例の使用状態説明図である。
【符号の説明】
１　磁石
２　炭素体
３　筒体
４　供給部
７　流体
８　効能付与材
【図１】
2004000858.tif 000003
【図２】
2004000858.tif 000004
【図３】
2004000858.tif 000005
【図４】
2004000858.tif 000006
【図５】
2004000858.tif 000007